(57)【要約】【課題】記録媒体に障害が発生した場合でも、一部の撮影機能を実行可能とする。【解決手段】記録装置は、撮像手段により得られた画像データを記憶するメモリと、メモリに記憶された画像データを読み出して記録媒体に記録する記録手段を備え、前記記録媒体が結露などにより記録不能状態であると検出されたことに応じて、装置のモードを前記静止画記録モードに設定し、この静止画記録モードにおいて撮影されてメモリに記憶された静止画像データの記録媒体に対する記録を禁止する構成とした。【選択図】　　　図２
2004032389.tif 000002
【特許請求の範囲】
【請求項１】
動画記録モードと静止画記録モードとを有し、記録媒体に対して画像データを記録する装置であって、
撮像手段と、
前記撮像手段により得られた画像データを記憶するメモリと、
前記メモリに記憶された画像データを読み出して前記記録媒体に記録する記録手段と、
前記記録媒体の状態を検出する状態検出手段と、
前記状態検出手段により前記記録媒体が記録不能状態であると検出されたことに応じて、装置のモードを前記静止画記録モードに設定し、前記静止画記録モードにおいて前記撮像手段により撮影されて前記メモリに記憶された静止画像データの前記記録媒体に対する記録を禁止するよう前記記録手段を制御する制御手段とを備える記録装置。
【請求項２】
前記制御手段は、前記状態検出手段により前記記録媒体が前記記録不能状態でないと検出されたことに応じて、前記記録媒体に対する記録を禁止している間に前記メモリに記憶された静止画像データを前記記録媒体に記録するよう前記記録手段を制御することを特徴とする請求項１記載の記録装置。
【請求項３】
前記制御手段は、前記記録媒体に対する前記静止画像データの記録が終了したことに応じて、前記動画記録モードまたは前記静止画記録モードのいずれかのモードに設定することを特徴とする請求項２記載の記録装置。
【請求項４】
前記状態検出手段は前記記録媒体の結露を検出することを特徴とする請求項１記載の記録装置。
【請求項５】
前記状態検出手段は前記記録媒体の恒久的な書き込み不能状態を検出することを特徴とする請求項１記載の記録装置。
【請求項６】
前記状態検出手段は前記記録媒体において記録可能な容量がないことを検出することを特徴とする請求項１記載の記録装置。
【請求項７】
前記記録媒体はディスク状記録媒体であり、前記メモリは耐震用メモリであることを特徴とする請求項１記載の記録装置。
【請求項８】
前記撮像手段により得られた画像データを符号化してその情報量を圧縮する符号化手段を備え、前記メモリは前記符号化手段により符号化された画像データを記憶することを特徴とする請求項１記載の記録装置。
【請求項９】
前記メモリに記憶された画像データをエラー訂正符号化するエラー訂正符号化手段を備え、前記記録手段は前記エラー訂正符号化された画像データを記録することを特徴とする請求項１記載の記録装置。
【発明の詳細な説明】
【０００１】
【発明の属する技術分野】
本発明は記録装置に関し、特には、メモリを利用して記録媒体に画像信号を記録する装置に関する。
【０００２】
【従来の技術】
この種の装置として、従来、画像信号を磁気テープに記録再生するカメラ一体型ＶＴＲが知られている。
【０００３】
また、近年では、撮影した画像信号をデジタル信号に変換し、メモリカードや光ディスクなどのランダムアクセス媒体に記録するデジタルレコーダも見られるようになってきた。
【０００４】
例えば、ディスク媒体を用いたデジタルレコーダでは、ショックプルーフメモリと呼ばれるメモリを備え、振動などによりディスクに対してデータを記録できない状態のときに、このショックプルーフメモリに画像データを蓄えておき、ディスクの状態が正常に戻ったときにメモリより高速にデータを読み出してディスクに記録する構成としている。
【０００５】
【発明が解決しようとする課題】
前述の様に、振動によりディスクに対する記録ができない場合には振動が収まるのを待って記録を再開することができる。
【０００６】
しかし、従来では、傷などディスクの物理的な欠陥によって恒久的に書き込み不能となった場合、あるいは、結露などによりディスクへの記録ができなくなった場合（正しくデータを記録することができなくなった場合）、ディスクが交換されるか、あるいは、結露が解消されるまで一切の撮影を行うことができなくなってしまう。
【０００７】
そのため、非常に使い勝手の悪いものであった。
【０００８】
本発明はこの様な問題点を解決することを目的とする。
【０００９】
本発明の他の目的は、記録媒体に障害が発生した場合でも、一部の撮影機能を実行可能とする処にある。
【００１０】
【課題を解決するための手段】
本発明においては、動画記録モードと静止画記録モードとを有し、記録媒体に対して画像データを記録する装置であって、撮像手段と、前記撮像手段により得られた画像データを記憶するメモリと、前記メモリに記憶された画像データを読み出して前記記録媒体に記録する記録手段と、前記記録媒体の状態を検出する状態検出手段と、前記状態検出手段により前記記録媒体が記録不能状態であると検出されたことに応じて、装置のモードを前記静止画記録モードに設定し、前記静止画記録モードにおいて前記撮像手段により撮影されて前記メモリに記憶された静止画像データの前記記録媒体に対する記録を禁止するよう前記記録手段を制御する制御手段とを備える記録装置が提示される。
【００１１】
【発明の実施の形態】
以下、本発明の実施形態について説明する。
【００１２】
図１は本発明が適用される記録装置１００の構成を示すブロック図である。
【００１３】
図１おいて、まず、通常の記録動作について説明する。本形態の記録装置はＤＶＤなどのディスク媒体Ｄに対して符号化した画像データを記録し、また、動画記録モードと静止画記録モードとを持つ。
【００１４】
操作部１１３により動画撮影モードが設定され、記録開始の指示があると、システム制御部１１２はカメラ制御部１０９を制御して指定された撮影モードに応じてカメラ部１０１を制御し、カメラ部１０１より動画像データを出力する。カメラ部１０１は周知のレンズなどの光学系、ＣＣＤなどの撮像素子やカメラ信号処理回路を有し、カメラ部１０１からの動画像データはＣＯＤＥＣ１０２に出力される。
【００１５】
蓄積制御部１１０はシステム制御部１１２からの指示によりＣＯＤＥＣ１０２を制御し、カメラ部１０１からの動画像データをＭＰＥＧの規格に従い符号化してショックプルーフメモリ１０３に出力する。また、システム制御部１１２は表示制御部１０６を制御し、カメラ部１０１から出力された動画像データに係る動画像をＬＣＤ１０７に表示する。
【００１６】
ショックプルーフメモリ１０３に記憶された動画像データは所定のタイミングでＥＣＣ１０４によりエラー訂正符号化され、再びメモリ１０３に書き込まれる。記録再生部１０５は周知の光ピックアップ、磁気ヘッド及びスピンドルモータやヘッドキャリッジモータなどを有し、ショックプルーフメモリ１０３より所定のタイミングで周期的に土井画像データを読み出し、ディスクＤに記録する。なお、本形態では、ディスクＤに対する記録可能なデータレートはショックプルーフメモリに書き込まれる符号化された動画像データのデータレートよりも大きく（数倍程度）、記録再生部１０５はメモリ１０３より間欠的にデータを読み出してディスクＤに記録する。
【００１７】
また、この様な記録動作中、状態検出部１１１はディスクＤに対するデータの記録状態を監視しており、例えば、振動などでディスクＤに対する良好な信号の記録が不可能な状態である場合に、振動による記録不能状態であることをシステム制御部１１２に知らせる。システム制御部１１２はこの振動検出信号に基づいて蓄積制御部１１０を制御し、記録再生部１０５による記録を一時中断する。その間、符号化された動画像データはメモリ１０３に蓄積されるが、振動が解消されると、記録再生部１０５は再びメモリ１０３よりデータを読み出してディスクＤへの記録を再開する。
【００１８】
次に、静止画記録モードについて説明する。
【００１９】
操作部１１３より電源が投入され、カメラ部１０１からの動画像が表示制御部１０６によりＬＣＤ１０７に表示されている状態で、操作部１１３により静止画記録の指示があると、システム制御部１１２は蓄積制御部１１０に対して指示を出す。蓄積制御部１１０はＣＯＤＥＣ１０２を制御し、カメラ部１０１から出力されている動画像データ中より１フレームの画像データを抽出して内部のメモリに記憶する。ＣＯＤＥＣ１０２はこの抽出した１フレームの画像データをＪＰＥＧ規格に従い符号化して、メモリ１０３に書き込む。
【００２０】
メモリ１０３に書き込まれた１フレームの画像データは、ＥＣＣ１０４によりエラー訂正符号化され、再びメモリ１０３に書き込まれる。記録再生部１０５はこのエラー訂正符号化された１フレームの画像データをメモリ１０３より読み出し、静止画像データとしてディスクＤに記録する。なお、この場合にも状態検出手段はディスクＤの振動状態を監視しており、システム制御部１１２は蓄積制御部１１０に指示を出し、振動のない状態でメモリ１０３よりデータを読み出して記録するよう記録再生部１０５を制御する。なお、本形態では、動画記録モードにおいて記録開始の指示から記録停止の指示までの間に撮影された一連の動画像データを一つのファイルとして記録し、また、静止画記録モードにおいて撮影された１フレームの静止画像を一つのファイルとして記録する。
【００２１】
次に、再生動作について簡単に説明する。
【００２２】
操作部１１３により再生指示があると、システム制御部１１２は蓄積制御部１１０に対して指示を出し、記録再生部１０５より指定されたファイルの画像データを読み出してメモリ１０３に順次書き込む。メモリ１０３に書き込まれた画像データはＥＣＣ１０４によりエラー訂正処理が施され、再びメモリ１０３に書き込まれる。ＣＯＤＥＣ１０２はエラー訂正処理された画像データをデコードし、表示制御部および出力部１０８に出力する。
【００２３】
システム制御部１１２は表示制御部１０６に指示を出し、再生モードにおいてはＣＯＤＥＣ１０２から出力された画像データを選択してＬＣＤ１０７に表示する。また、出力部１０８は再生された画像データを外部モニタなどの機器に適した形態に変換して出力する。
【００２４】
次に、本形態の特徴である、ディスクＤの障害検出時の処理について図２のフローチャートを用いて説明する。
【００２５】
図２において、電源が投入されると、状態検出部１１１によりディスクＤが書き込み不能状態であるか否かを検出する（Ｓ２０１）。ここでは、ディスクＤが結露しているか否かを周知の方法で検出し、結露状態を検出するとその旨をシステム制御部１１２に出力する。
【００２６】
システム制御部１１２はディスクＤの結露を検出すると、表示制御部１０６を制御してディスク結露状態であり、静止画記録モードによる撮影が可能である旨を示す情報をＬＣＤ１０７に表示する（Ｓ２０２）。そして、撮影モードを静止画記録モードに設定し（Ｓ２０３）、静止画撮影の指示に応じて前述の様に１フレームの画像データをＣＯＤＥＣ１０２により符号化してメモリ１０３に書き込む（Ｓ２０４）。ここで、ディスクＤへの書き込み不能状態であるため、ここではメモリ１０３に書き込まれた静止画データをディスクＤに書き込まず、そのままメモリ１０３に保持する。
【００２７】
また、本形態ではメモリ１０３としてＳＤＲＡＭ（Ｓｙｎｃｈｒｏｎｏｕｓ　Ｄｙｎａｍｉｃ　ＲＡＭ）を用いており、蓄積制御部１１０はシステム制御部１１２からの指示によりメモリ１０３を消費電力が少なくてすむセルフリフレッシュモードに設定する（Ｓ２０５）。
【００２８】
そして、システム制御部１１２は状態検出部１１１の検出出力によりディスクＤの結露状態が解消されたか否かを判別し（Ｓ２０６）、解消されていた場合には蓄積制御部１１０に指示を出し、記録再生部１０５によりメモリ１０３に記憶されている全ての静止画データを読み出してディスクＤに記録した後（Ｓ２１０）、通常の撮影動作に切り替える（Ｓ２１１）。
【００２９】
また、いまだに結露状態である場合、メモリ１０３が撮影された静止画像データで一杯になってしまい、これ以上記憶することができない状態であるか否かを判別し、まだメモリ１０３に静止画像データを書き込める場合にはＳ２０４に戻る。また、メモリ１０３が一杯になってしまい、これ以上静止画像データを書き込むことができない場合、表示制御部１０６を制御してメモリ１０３が一杯になり、ディスクＤの結露が解消されるまで待機するか、あるいはユーザによりディスクＤの交換を促す旨の情報をＬＣＤ１０７に表示して（Ｓ２０８）、障害が解消するのを待つ（Ｓ２０９）。
【００３０】
また、Ｓ２０１で結露状態でなかった場合にはそのまま通常の撮影処理に移る（Ｓ２１１）。
【００３１】
この様に、本形態では、ディスクが結露状態となった場合でも、ショックプルーフメモリに対して画像データを保存し、結露が解消された際にこのメモリに記憶された画像データをディスクに記録するよう構成したので、ディスクが結露状態となった場合にも撮影を行うことができる。
【００３２】
また、このとき撮影モードを静止画記録モードのみとすることで、ショックプルーフメモリの容量を大きくしなくても実用的な機能を実現することができる。
【００３３】
即ち、例えば、ショックプルーフメモリ１０３として１２８ＭｂｉｔのＳＤＲＡＭを用いた場合、動画像データをＭＰＥＧ方式で６Ｍｂｐｓのレートに圧縮した場合では２１秒程度しか記録できないが、８０万画素（１０２４画素×７６８画素）の静止画像データをＪＰＥＧにより圧縮して８００Ｋｂｉｔとすれば、１６０枚以上撮影が可能であり、静止画撮影モードのみとすることできわめて実用的な機能となる。
【００３４】
なお、本形態ではショックプルーフメモリとしてＳＤＲＡＭを用いたが、勿論ＳＲＡＭを用いることも可能であり、その場合、図２のＳ２０５においてバッテリバックアップを行う。
【００３５】
また、本形態では状態検出手段１１１によりディスクＤの結露を検出したが、これ以外にも、撮影中にディスクＤの記録エリアがなくなってしまった状態や、あるいは、ディスクＤが傷などにより書き込み不能となった状態を検出した場合にも同様の処理を行うことが可能となる。
【００３６】
また、本形態ではディスク媒体に対して画像データを記録する装置について説明したが、これ以外にも半導体メモリや磁気テープなど他の媒体を用いることも可能である。
【００３７】
例えば、デジタルＶＴＲなどでは、そのシステム構成上メモリが必ず必要となり、近年では３２Ｍｂｉｔ〜６４Ｍｂｉｔ程度の大容量のＳＤＲＡＭを持つものもあり、この様なシステムに対して本発明を適用することは有効である。
【００３８】
【発明の効果】
以上説明した様に、本発明によれば、記録媒体が記録不能な状態になった場合にもメモリを利用した静止画像データの撮影を行うことが可能となる。
【図面の簡単な説明】
【図１】本発明が適用される記録装置の構成を示す図である。
【図２】撮影時の動作を示すフローチャートである。
【図１】
2004032389.tif 000003
【図２】
2004032389.tif 000004